(57)【要約】      （修正有）【課題】結び目方式で結ぶ必要がなく、便利且つ迅速にネクタイを着用することができ、個性的且つ新たな美感を演出できるネクタイ着用装置を提供する。【解決手段】後方に凹状のネクタイ収容空間２０１が形成されるように前方に向かって凸状に湾曲して形成され、ネクタイ収容空間にはネクタイが支持されて懸垂できるように掛け棒２１０が装着されるメインボディー２００と、メインボディーに回動・折り畳み可能に結合され、回動・折り畳まれた状態でネクタイ収容空間に配置されたネクタイを加圧・固定できる回動ボディー３００と、メインボディーの前方面を覆うようにメインボディーに結合され、前方面には装飾用色又は模様が形成されるカバーボディー１００と、メインボディーを首に固定できるようにメインボディーに結合される固定帯と、を含む。【選択図】図４
0003221852.tif 000002
【実用新案登録請求の範囲】
【請求項１】
後方に凹状のネクタイ収容空間が形成されるように前方に向かって凸状に湾曲した形態で形成され、前記ネクタイ収容空間にはネクタイが支持されて懸垂できるように掛け棒が装着されるメインボディー；
前記メインボディーに回動・折り畳み可能に結合され、前記メインボディーに対して回動・折り畳まれた状態で前記ネクタイ収容空間に配置されたネクタイを加圧・固定できるように形成される回動ボディー；
前記メインボディーの前方面を覆うように前記メインボディーに結合され、前方面には装飾用色又は模様が形成されるカバーボディー；及び
前記メインボディーをユーザーの首に固定できるように前記メインボディーに結合される固定帯；を含むことを特徴とするネクタイ着用装置。
【請求項２】
前記カバーボディーが前記メインボディーに結合された状態で前記メインボディー及び回動ボディーが前方に向かって外部に露出しないように形成されることを特徴とする、請求項１に記載のネクタイ着用装置。
【請求項３】
前記メインボディーの後方内側面の下端部は、下端に行くほど厚さが小さくなる形態で傾斜面をなすように形成されることを特徴とする、請求項１に記載のネクタイ着用装置。
【請求項４】
前記メインボディーの上端両側端部には、前記カバーボディーが結合された状態で前記固定帯が外部から前記ネクタイ収容空間に貫通・挿入できるように固定帯挿入ホールが形成されることを特徴とする、請求項１に記載のネクタイ着用装置。
【請求項５】
前記メインボディーの一側には、前記固定帯挿入ホールを介して外部から貫通・挿入された固定帯の配置状態をガイドするように固定帯ガイドホールが形成されることを特徴とする、請求項４に記載のネクタイ着用装置。
【請求項６】
前記回動ボディーの前方面には、前記ネクタイを加圧・固定できるように加圧突出部が形成され、
前記加圧突出部は、前記回動ボディーが前記メインボディーに対して回動・折り畳まれた状態で前方面が前記メインボディーの後方面と一定間隔だけ離隔して位置するように前方に向かって凸状に湾曲した形態で形成され、
前記ネクタイは、前記加圧突出部の前方面と前記メインボディーの後方面との間で加圧・固定されることを特徴とする、請求項１に記載のネクタイ着用装置。
【請求項７】
前記固定帯の作動長を調節して固定できる長さ固定手段をさらに含むことを特徴とする、請求項４に記載のネクタイ着用装置。
【請求項８】
前記回動ボディーには、前記ネクタイ収容空間に挿入された固定帯の両端部が貫通して外部に排出されるように排出貫通ホールが形成され、
前記長さ固定手段は、
前記排出貫通ホールを通過した固定帯が挿入・貫通するように係止貫通ホールが形成される移動ブロック；及び
前記移動ブロックが前記排出貫通ホールの長さ方向に対する直角方向に弾性的に移動するように前記移動ブロックに弾性力を加える弾性部材；を含み、
前記固定帯は、前記移動ブロックが弾性的に移動するにつれて、前記排出貫通ホールと係止貫通ホールとが食い違う方向に移動することによって加圧・固定されることを特徴とする、請求項７に記載のネクタイ着用装置。
【請求項９】
上部蓋と、前記上部蓋から第１方向に延長されながら幅が漸次狭くなり、前記第１方向と交差する第２方向に凸状のネクタイの結び目形状を有する前面蓋と、を含む第１板胴体；
前記第１板胴体の前記上部蓋とヒンジ結合され、前記第１方向に延長されて前記前面蓋をカバーする後面蓋と、前記後面蓋から前記第２方向に突出する下部蓋と、を含み、前記下部蓋と前記前面蓋との間のネクタイホールを通過するネクタイを収容する内部空間を形成する第２板胴体；
前記後面蓋の内面に結合され、前記前面蓋に向かって突出して弾性力を提供し、前記第１及び第２方向と交差する第３方向に互いに離隔して前記ネクタイと接触する第１及び第２弾性部材；
前記第１方向にそれぞれ延長されて前記前面蓋の内面に結合され、前記第１及び第２弾性部材が提供する前記弾性力及び摩擦力によって前記ネクタイと接触して前記ネクタイを固定させ、前記第３方向に沿って互いに離隔する第１及び第２係止段；及び
前記前面蓋の前記内面に結合されて前記第３方向に延長され、前記ネクタイホールを通過した前記ネクタイが巻かれて前記ネクタイホールを再び通過し得るネクタイ支持バー；を含むネクタイ着用装置。
【請求項１０】
前記前面蓋をそれぞれ貫通して前記第３方向に沿って互いに離隔し、前記上部蓋に隣接して配置される第１及び第２首紐ホール；
前記第１首紐ホールに固定され、前記内部空間に配置される固定部と、前記固定部から延長され、前記第１首紐ホールを通過して前記上部蓋上で延長され、前記第２首紐ホールを通過する首掛け部と、前記内部空間を経て前記下部蓋に備えられた第３首紐ホールを通過する長さ調整部と、を含む首紐；及び
前記下部蓋に配置され、前記長さ調整部の長さを調節できる首紐調節部；をさらに含むことを特徴とする、請求項９に記載のネクタイ着用装置。
【請求項１１】
前記首紐調節部は、
弾性力によって前記長さ調整部を固定させる弾性部材；及び
前記弾性部材に力を加えることによって前記長さ調整部の固定を解除できるボタン；を含むことを特徴とする、請求項１０に記載のネクタイ着用装置。
【請求項１２】
前記第１及び第２板胴体は金属を含むことを特徴とする、請求項９に記載のネクタイ着用装置。
【請求項１３】
前記ネクタイホールは前記前面蓋の前記内面に沿って延長されることを特徴とする、請求項９に記載のネクタイ着用装置。
【考案の詳細な説明】
【技術分野】
【０００１】
本発明は、ネクタイ着用装置に関する。より詳細には、本発明は、一般的なネクタイのように結び目方式で結ぶ必要がなく、便利且つ迅速にネクタイを着用することができ、また、ネクタイの結び目装飾機能をするボディー部分に対してネクタイと互いに異なる材質及び模様などによって異質感を与えることによって、異質感による個性的且つ新たな美感を演出できるネクタイ着用装置に関する。
【背景技術】
【０００２】
現代社会では、個々人の生活経済が向上するにつれて、食生活や住居生活と同様に衣装に対する関心も高まりながら多様な種類の衣服用品が作られて使用されている。このような関心が高まっている衣装において多くのアクセサリーが使用されており、このうち最も多く使用している衣装用アクセサリーとしてはネクタイがある。
【０００３】
ネクタイは、スーツの着用時に主に使用する衣装用アクセサリーであって、首に着用する場合は、まず、ワイシャツのカラーを少し持ち上げた状態で首にループ状に掛けた後、中間部に結び目を形成することによって、幅の広い部分が前方に見えるようにし、幅の狭い部分が後方に隠されるように着用する。
【０００４】
このようなネクタイは、スーツの着用時に雰囲気を演出するためのサラリーマンのみならず、制服を着用する学生も使用している。
【０００５】
しかし、このような通常のネクタイは、その着用方法において結び目を形成しなければならなく、結び目を形成する方法が多少複雑且つ煩雑であるので、時間的な消耗も多く、特に学生達の使用上の不便さが相当大きい。
【０００６】
特に、結び目の形成位置に応じて露出部が長くなったり、首掛け部が長くなる場合が発生するが、このような長さの不安定を解決するためにはネクタイを何回も再び結ばなければならないので、時間が多くかかって不便であるという問題がある。
【０００７】
このような問題を解決するために、ネクタイを容易に着用できる多様な方式のネクタイ着用装置が開発されているが、この場合、使用上の不便さ又はネクタイの離脱などの問題がある。
【考案の概要】
【考案が解決しようとする課題】
【０００８】
本発明は、従来技術の問題を解決するために発明したものであって、本発明の目的は、一般的なネクタイのように結び目方式で結ぶ必要がなく、単純にネクタイを掛け棒に掛けた後、回動ボディーを回動・折り畳んで首に着用する方法でネクタイの着用を完了することができ、非常に便利且つ迅速にネクタイを着用できるネクタイ着用装置を提供することにある。
【０００９】
本発明の他の目的は、ネクタイとネクタイの結び目装飾機能をするカバーボディーに対して互いに異なる材質及び模様などによって異質感を与えることによって、異質感による個性的且つ新たな美感を演出できるネクタイ着用装置を提供することにある。
【００１０】
本発明の更に他の目的は、ネクタイが着用装置の内部空間から外部に露出する境界面部位でネクタイが豊かに見えるように内部構成を形成することによって、結び目方式のネクタイと同様に、ネクタイの外部形状及び美感を豊かな形態で演出することができ、装飾効果をさらに倍加できるネクタイ着用装置を提供することにある。
【００１１】
本発明の更に他の目的は、固定帯の首に巻く部分の長さを簡便且つ迅速に調節することができ、また、ユーザーの身長に合わせてネクタイの長さを容易且つ便利に調節できるようにし、その結果、使用上の便利さがさらに向上し、多様なユーザーに円滑に適用できるネクタイ着用装置を提供することにある。
【課題を解決するための手段】
【００１２】
本発明は、後方に凹状のネクタイ収容空間が形成されるように前方に向かって凸状に湾曲した形態で形成され、前記ネクタイ収容空間にはネクタイが支持されて懸垂できるように掛け棒が装着されるメインボディー；前記メインボディーに回動・折り畳み可能に結合され、前記メインボディーに対して回動・折り畳まれた状態で前記ネクタイ収容空間に配置されたネクタイを加圧・固定できるように形成される回動ボディー；前記メインボディーの前方面を覆うように前記メインボディーに結合され、前方面には装飾用色又は模様が形成されるカバーボディー；及び前記メインボディーをユーザーの首に固定できるように前記メインボディーに結合される固定帯；を含むことを特徴とするネクタイ着用装置を提供する。
【００１３】
このとき、前記カバーボディーが前記メインボディーに結合された状態で前記メインボディー及び回動ボディーが前方に向かって外部に露出しないように形成され得る。
【００１４】
また、前記メインボディーの後方内側面の下端部は、下端に行くほど厚さが小さくなる形態で傾斜面をなすように形成され得る。
【００１５】
また、前記メインボディーの上端両側端部には、前記カバーボディーが結合された状態で前記固定帯が外部から前記ネクタイ収容空間に貫通・挿入できるように固定帯挿入ホールが形成され得る。
【００１６】
また、前記メインボディーの一側には、前記固定帯挿入ホールを介して外部から貫通・挿入された固定帯の配置状態をガイドするように固定帯ガイドホールが形成され得る。
【００１７】
また、前記回動ボディーの前方面には、前記ネクタイを加圧・固定できるように加圧突出部が形成され、前記加圧突出部は、前記回動ボディーが前記メインボディーに対して回動・折り畳まれた状態で前方面が前記メインボディーの後方面と一定距離だけ離隔して位置するように前方に向かって凸状に湾曲した形態で形成され、前記ネクタイは、前記加圧突出部の前方面と前記メインボディーの後方面との間で加圧・固定され得る。
【００１８】
また、前記ネクタイ着用装置は、前記固定帯の作動長を調節して固定できる長さ固定手段をさらに含み得る。
【００１９】
また、前記回動ボディーには、前記ネクタイ収容空間に挿入された固定帯の両端部が貫通して外部に排出されるように排出貫通ホールが形成され、前記長さ固定手段は、前記排出貫通ホールを通過した固定帯が挿入・貫通するように係止貫通ホールが形成される移動ブロック；及び前記移動ブロックが前記排出貫通ホールの長さ方向に対する直角方向に弾性的に移動するように前記移動ブロックに弾性力を加える弾性部材；を含み、前記固定帯は、前記移動ブロックが弾性的に移動するにつれて、前記排出貫通ホールと係止貫通ホールとが食い違う方向に移動することによって加圧・固定されるように構成され得る。
【００２０】
一方、本発明は、上部蓋と、前記上部蓋から第１方向に延長されながら幅が漸次狭くなり、前記第１方向と交差する第２方向に凸状のネクタイの結び目形状を有する前面蓋とを含む第１板胴体；前記第１板胴体の前記上部蓋とヒンジ結合され、前記第１方向に延長されて前記前面蓋をカバーする後面蓋と、前記後面蓋から前記第２方向に突出する下部蓋とを含み、前記下部蓋と前記前面蓋との間のネクタイホールを通過するネクタイを収容する内部空間を形成する第２板胴体；前記後面蓋の内面に結合され、前記前面蓋に向かって突出して弾性力を提供し、前記第１及び第２方向と交差する第３方向に互いに離隔して前記ネクタイと接触する第１及び第２弾性部材；前記第１方向にそれぞれ延長されて前記前面蓋の内面に結合され、前記第１及び第２弾性部材が提供する前記弾性力及び摩擦力によって前記ネクタイと接触して前記ネクタイを固定させ、前記第３方向に沿って互いに離隔する第１及び第２係止段；及び前記前面蓋の内面に結合されて前記第３方向に延長され、前記ネクタイホールを通過した前記ネクタイが巻かれて前記ネクタイホールを再び通過し得るネクタイ支持バー；を含むネクタイ着用装置を提供する。
【００２１】
このとき、前記ネクタイ着用装置は、前記前面蓋をそれぞれ貫通して前記第３方向に沿って互いに離隔し、前記上部蓋に隣接して配置される第１及び第２首紐ホール；前記第１首紐ホールに固定され、前記内部空間に配置される固定部と、前記固定部から延長され、前記第１首紐ホールを通過して前記上部蓋上で延長され、前記第２首紐ホールを通過する首掛け部と、前記内部空間を経て前記下部蓋に備えられた第３首紐ホールを通過する長さ調整部とを含む首紐；及び前記下部蓋に配置され、前記長さ調整部の長さを調節できる首紐調節部；をさらに含み得る。
【００２２】
また、前記首紐調節部は、弾性力によって前記長さ調整部を固定させる弾性部材；及び前記弾性部材に力を加えることによって前記長さ調整部の固定を解除できるボタン；を含み得る。
【００２３】
また、第１及び第２板胴体は金属を含み得る。
【００２４】
また、前記ネクタイホールは、前記前面蓋の前記内面に沿って延長され得る。
【考案の効果】
【００２５】
本発明によると、一般的なネクタイのように結び目方式で結ぶ必要がなく、単純にネクタイを掛け棒に掛けた後、回動ボディーを回動・折り畳んで首に着用する方式でネクタイの着用を完了することができ、非常に便利且つ迅速にネクタイを着用できるという効果がある。
【００２６】
また、ネクタイとネクタイの結び目装飾機能をするカバーボディーに対して互いに異なる材質及び模様などによって異質感を与えることによって、異質感による個性的且つ新たな美感を演出できるという効果がある。
【００２７】
また、ネクタイが着用装置の内部空間から外部に露出する境界面部位でネクタイが豊かに見えるように内部構成を形成することによって、結び目方式のネクタイと同様に、ネクタイの外部形状及び美感を豊かな形態で演出することができ、装飾効果をさらに倍加できるという効果がある。
【００２８】
また、固定帯の首に巻く部分の長さを簡便且つ迅速に調節できるようにし、その結果、使用上の便利さがさらに向上し、多様なユーザーに円滑に適用できるという効果がある。
【図面の簡単な説明】
【００２９】
【図１】本発明の一実施例に係るネクタイ着用装置の外形を概略的に示した斜視図である。
【図２】本発明の一実施例に係るネクタイ着用装置の外形を概略的に示した斜視図である。
【図３】本発明の一実施例に係るネクタイ着用装置の外形を概略的に示した斜視図である。
【図４】本発明の一実施例に係るネクタイ着用装置の細部構成を概略的に示した分解斜視図である。
【図５】本発明の一実施例に係るネクタイ着用装置の内部構造を概略的に示した断面図である。
【図６】本発明の一実施例に係るネクタイ着用装置の長さ固定手段に対する構造を概略的に示した断面図である。
【図７】本発明の一実施例に係るネクタイ着用装置を用いてネクタイを着用した状態を例示的に示した図である。
【図８】本発明の他の一実施例に係るネクタイ着用装置を示す斜視図である。
【図９】図８のネクタイ着用装置における第２板胴体の開放時を示す斜視図である。
【図１０】図８のネクタイ着用装置を示す斜視図である。
【図１１】図８のネクタイ着用装置を示す斜視図である。
【図１２】図１０のＩ−Ｉ'線断面図である。
【図１３】図１０のＡ方向から見た側面図である。
【図１４】図８のネクタイ着用装置に対する長さ調整部を示す拡大図である。
【考案を実施するための形態】
【００３０】
以下、本発明の好適な実施例を添付の各図面を参照して詳細に説明する。まず、各図面の構成要素に参照符号を付するにおいて、同一の構成要素には、たとえ異なる図面上に表示されたとしても、可能な限り同一の符号を付していることに留意すべきである。また、本発明を説明するにおいて、関連する公知構成又は機能に対する具体的な説明が本発明の要旨を不明瞭にし得ると判断される場合、それについての詳細な説明は省略する。
【００３１】
図１〜図３は、本発明の一実施例に係るネクタイ着用装置の外形を概略的に示した斜視図で、図４は、本発明の一実施例に係るネクタイ着用装置の細部構成を概略的に示した分解斜視図で、図５は、本発明の一実施例に係るネクタイ着用装置の内部構造を概略的に示した断面図で、図６は、本発明の一実施例に係るネクタイ着用装置の長さ固定手段に対する構造を概略的に示した断面図で、図７は、本発明の一実施例に係るネクタイ着用装置を用いてネクタイを着用した状態を例示的に示した図である。
【００３２】
本発明の一実施例に係るネクタイ着用装置は、ネクタイを結び目方式で結ばずに簡便に着用できるようにする装置であって、メインボディー２００、回動ボディー３００、カバーボディー１００及び固定帯４００を含んで構成される。
【００３３】
メインボディー２００は、後方に凹状のネクタイ収容空間２０１が形成されるように前方に向かって凸状に湾曲した形態で形成され、ネクタイ収容空間２０１には、ネクタイ１０が支持されて懸垂できるように掛け棒２１０が装着される。掛け棒２１０は、ネクタイ収容空間２０１を水平方向に横断するように装着され、前後方向に対する中心部を基準にして後方側に偏って配置される。
【００３４】
回動ボディー３００は、一端がメインボディー２００の一端に回動・折り畳み可能に結合される。すなわち、メインボディー２００の一側端部にはヒンジ軸結合部２５０が形成され、回動ボディー３００の一端には、ヒンジ軸結合部２５０に回動可能に結合されるようにヒンジ軸３０１が形成され、回動ボディー３００はヒンジ軸３０１を介してメインボディー２００に回動・折り畳み可能に結合される。また、回動ボディー３００が回動・折り畳まれた状態で固定できるように回動ボディー３００の一側には結合突起３１０が形成され、メインボディー２００の一側には、これに対応する位置に結合突起３１０が挿入されて噛み合わされる結合ホール２２０が形成され、結合突起３１０と結合ホール２２０とが互いに噛み合う構造によって回動ボディー３００が折り畳まれた状態で位置が固定される。
【００３５】
このような回動ボディー３００は、メインボディー２００に対して回動・折り畳まれた状態でネクタイ収容空間２０１に配置されたネクタイ１０を加圧・固定できるように形成される。より具体的には、回動ボディー３００の前方面一側には、回動ボディー３００がメインボディー２００に対して回動・折り畳まれた状態でネクタイ１０を加圧・固定できるように加圧突出部３２０が形成され、加圧突出部３２０は、回動ボディー３００がメインボディー２００に対して回動・折り畳まれた状態で加圧突出部３２０の前方面がメインボディー２００の後方面と一定間隔Ｐだけ離隔して位置するように前方に向かって凸状に湾曲した形態で形成される。したがって、ネクタイ収容空間２０１に配置されたネクタイ１０は、回動ボディー３００がメインボディー２００に対して回動・折り畳まれることによって加圧突出部３２０の前方面とメインボディー２００の後方面との間の間隔Ｐで加圧突出部３２０によって密着・加圧されて位置が固定される。
【００３６】
カバーボディー１００は、メインボディー２００の前方面を覆うようにメインボディー２００に結合され、カバーボディー１００の前方面には別途の装飾用色又は模様Ｎ２が形成され得る。また、カバーボディー１００がメインボディー２００の前方面に結合された状態でメインボディー２００及び回動ボディー３００が前方に向かって外部に露出しないように形成される。
【００３７】
すなわち、カバーボディー１００には、装飾機能を有するように別途の色又は模様Ｎ２が形成され、このようなカバーボディー１００によってメインボディー２００及び回動ボディー３００が全て覆われるように形成され、外部にはカバーボディー１００のみが肉眼に露出する。
【００３８】
また、カバーボディー１００はネクタイの結び目形態で形成され、ネクタイ１０を着用した状態でネクタイの結び目のように外部から見えるように構成することができる。このとき、カバーボディー１００の装飾模様Ｎ２とネクタイ１０の装飾模様Ｎ１とが互いに異なる形態で形成され得る（図７参照）。この場合、ネクタイ１０の結び目部分（すなわち、カバーボディー部分）がネクタイ１０とは異なる美感を演出することができ、より個性的且つ素敵な美感を発揮することができる。
【００３９】
一方、これらのカバーボディー１００は、メインボディー２００の前方面に接合される形態で固定・結合され得るが、ユーザーがカバーボディー１００のみを別途に取り替えることによって、便利に新たな美感を演出できるようにメインボディー２００に着脱可能に結合されてもよい。
【００４０】
固定帯４００は、メインボディー２００をユーザーの首に固定できるようにメインボディー２００に結合されるが、単純な織物材質の帯形態で形成されたり、又は弾性材質などの多様な形態で形成され得る。
【００４１】
このようなネクタイ着用装置２０を通じてネクタイ１０を着用する過程を説明すると、図５に点線で示したように、まず、回動ボディー３００をメインボディー２００から後方側に離脱するように回転させることによってネクタイ収容空間２０１を開放させ、この状態でメインボディー２００の掛け棒２１０にネクタイ１０の中間区間にわたってネクタイ１０が掛け棒２１０によって支持されて懸垂されるようにする。このとき、ネクタイ１０は、図５に点線で示したように、自重によって垂直な方向に懸垂された状態に維持される。
【００４２】
この状態で、回動ボディー３００をメインボディー２００に接触するように回動・折り畳ませると、回動ボディー３００の加圧突出部３２０が前方側に移動しながら垂直に懸垂されたネクタイ１０を前方側に加圧するようになる。回動ボディー３００の回動・折り畳みが完了すると、加圧突出部３２０とメインボディー２００には離隔間隔Ｐが存在するようになり、ネクタイ１０は加圧突出部３２０によって加圧され、離隔間隔Ｐの空間で加圧突出部３２０によって密着・加圧されて位置が固定される。
【００４３】
このとき、メインボディー２００のネクタイ収容空間２０１をなす後方面は前方に凸状に湾曲した形状をなし、これに対応して回動ボディー３００の加圧突出部３２０の前方面も前方に凸状に湾曲した形状をなすので、その間の離隔間隔Ｐでネクタイ１０が密着・加圧されて前方に凸状に湾曲した形状をなすようになる。すなわち、ネクタイ１０は、メインボディー２００の下部側に露出する部位が、ネクタイを結び目方式で結んだときの形状と同様に前方に凸状に湾曲した形状をなすようになるので、さらに豊かで且つ素敵なネクタイ着用効果を発揮することができる。
【００４４】
また、メインボディー２００の掛け棒２１０が前後方向中心部から後方側に偏って位置するので、ネクタイ１０が回動ボディー３００の加圧突出部３２０によって密着・加圧される過程でネクタイ１０の幅方向中心部が前方側に移動するようになるので、ネクタイ１０の露出部位に対して豊かに見える効果をさらに倍加させることができる。
【００４５】
併せて、メインボディー２００の後方内側面の下端部は、下端に行くほど厚さが小さくなる形態で傾斜面２０２をなすように形成され、これを通じて、ネクタイ１０がメインボディー２００の下端から外部に露出する過程でその露出境界面部位でネクタイ１０の前方にさらに突出し得る。その結果、ネクタイ１０の露出部位に対して豊かに見える効果を再び倍化させることができる。
【００４６】
このようにネクタイ１０を掛け棒２１０に掛けた状態で回動ボディー３００を回動・折り畳ませる動作のみでネクタイ１０を固定させることができ、この状態で固定帯４００を首に巻いてメインボディー２００を固定させる方式でネクタイの着用を完了することができる。
【００４７】
したがって、一般的なネクタイのように結び目方式で結ぶ必要がなく、非常に便利且つ迅速にネクタイを着用することができ、特に、ネクタイの結び目装飾機能をするカバーボディー１００とネクタイ１０に対して異質感を与えることができ、異質感による新たで且つ個性的な美感を演出することができる。
【００４８】
一方、固定帯４００は、固定帯４００を首に巻く方式でメインボディー２００を首に固定させるようにメインボディー２００に結合されるが、両端部が外部からメインボディー２００の内部空間に貫通・挿入される形態で装着され得る。
【００４９】
このために、メインボディー２００の上端両側端部には、図４に示したように、カバーボディー１００が結合された状態で固定帯４００が外部からネクタイ収容空間２０１に貫通・挿入できるように固定帯挿入ホール２３０が形成される。このような固定帯挿入ホール２３０は、カバーボディー１００の前方に露出しないようにメインボディー２００に形成される。
【００５０】
このように外部からメインボディー２００のネクタイ収容空間２０１に貫通・挿入された固定帯４００は、ネクタイ収容空間２０１の内部で互いに捩れたり、他の部材との干渉によって正常に作動しない場合がある。例えば、固定帯４００は、首に巻くための長さ調節が可能になるように固定帯挿入ホール２３０を通過して移動可能に配置されなければならないが、内部のネクタイ収容空間２０１で互いに捩れたり干渉が発生すると、このような移動が不可能になるという問題が発生し得る。
【００５１】
したがって、このような問題を防止するために、メインボディー２００の一側には、固定帯挿入ホール２３０を介して外部から貫通・挿入された固定帯４００の配置状態をガイドするように固定帯ガイドホール２４０が形成され得る。このような固定帯ガイドホール２４０は、固定帯挿入ホール２３０に隣接した部位に形成され得る。また、固定帯４００は、固定帯ガイドホール２４０を貫通して通過する方式で配置され、その結果、固定帯４００の配置状態が固定帯ガイドホール２４０を介して固定・ガイドされる。
【００５２】
一方、本発明の一実施例に係るネクタイ着用装置２０は、固定帯４００の作動長を調節して固定できる長さ固定手段５００をさらに含む。
【００５３】
すなわち、固定帯４００は、首に巻く方式でメインボディー２００を首に固定させるようになるが、ユーザーに応じて首の厚さが異なるだけでなく、ネクタイ着用過程で固定帯４００を緩めてから締める方式で使用するために固定帯４００の長さを調節して固定させる機能が必要である。
【００５４】
このような固定帯４００に対する長さ調節及び固定機能のために、まず、回動ボディー３００には、ネクタイ収容空間２０１に挿入された固定帯４００の両端部が貫通して外部に排出されるように排出貫通ホール３３０が形成される。また、長さ固定手段５００は、このような排出貫通ホール３３０を通過した固定帯４００が挿入・貫通するように係止貫通ホール５１１が形成される移動ブロック５１０と、移動ブロック５１０が排出貫通ホール３３０の長さ方向に対する直角方向に弾性的に移動するように移動ブロック５１０に弾性力を加える弾性部材５２０とを含んで構成される。
【００５５】
より具体的に説明すると、まず、回動ボディー３００には移動ブロック５１０が挿入されて弾性的に移動できるように挿入ガイド溝３４０が形成され、このような挿入ガイド溝３４０を中心に両側にそれぞれ排出貫通ホール３３０が形成される。挿入ガイド溝３４０の底面に弾性部材５２０が配置され、移動ブロック５１０が挿入ガイド溝３４０から離脱する方向に移動するように弾性力を加える。移動ブロック５１０には、排出貫通ホール３３０と平行な方向に係止貫通ホール５１１が形成される。
【００５６】
このとき、固定帯４００は、図６に示したように、挿入ガイド溝３４０の一側の排出貫通ホール３３０を通過して移動ブロック５１０の係止貫通ホール５１１を貫通し、再び挿入ガイド溝３４０の他側の排出貫通ホール３３０を貫通して外部に排出される。
【００５７】
このような配置構造において、移動ブロック５１０が弾性部材５２０によって図６に示した方向を基準にして左側に弾性的に移動するようになると、排出貫通ホール３３０と係止貫通ホール５１１とが互いに食い違う方向に相対移動するようになるが、このように排出貫通ホール３３０と係止貫通ホール５１１とが互いに食い違う方向に相対移動すると、排出貫通ホール３３０と係止貫通ホール５１１を同時に貫通する固定帯４００を互いに反対方向に加圧するようになるので、このような加圧によって固定帯４００の位置が固定される。
【００５８】
結果的に、固定帯４００の位置を固定する固定力は、移動ブロック５１０を弾性的に移動させる弾性部材５２０の弾性力によって発生する。
【００５９】
したがって、固定帯４００が加圧・固定された状態で固定帯４００を長さ調節のために移動させるためには、移動ブロック５１０を弾性力に抵抗する方向に加圧し、図６に示した方向を基準にして右側方向に移動させ、排出貫通ホール３３０と係止貫通ホール５１１とが食い違った状態を再び同一直線上に位置させることによって固定帯４００に対する加圧状態を解除させることができ、この状態で固定帯４００を自由に移動させることによって首に巻く長さを調節することができる。
【００６０】
図８は、本発明の他の一実施例に係るネクタイ着用装置を示す斜視図で、図９は、図８のネクタイ着用装置における第２板胴体の開放時を示す斜視図で、図１０及び図１１は、図８のネクタイ着用装置を示す斜視図で、図１２は、図１０のＩ−Ｉ'線断面図で、図１３は、図１０のＡ方向から見た側面図で、図１４は、図８のネクタイ着用装置に対する長さ調整部を示す拡大図である。
【００６１】
図８〜図１４を参照すると、例示的な各実施例に係るネクタイ着用装置は、第１板胴体１０００、第２板胴体２０００、第１及び第２弾性部材３０００、３１００、第１及び第２係止段４０００、４１００及びネクタイ支持バー５０００を含む。
【００６２】
例示的な各実施例において、前記ネクタイ着用装置は、第１及び第２首紐ホール６１００、６２００、首紐６０００及び首紐調節部６６００をさらに含み得る。
【００６３】
第１板胴体１０００は、上部蓋１１００及び前面蓋１２００を含み得る。例えば、前面蓋１２００は、上部蓋１１００から第１方向Ｄ１に延長されながら幅が漸次狭くなり、第１方向Ｄ１と交差する第２方向Ｄ２に凸状のネクタイの結び目形状を有し得る。
【００６４】
第１板胴体１０００は金属を含み得る。例えば、第１板胴体１０００は黄銅を含み得る。
【００６５】
第２板胴体２０００は、後面蓋２１００及び下部蓋２２００を含み得る。また、下部蓋２２００と前面蓋１２００との間に備えられたネクタイホール２０６０を通過するネクタイ１０を収容する内部空間２０４０が備えられる。
【００６６】
例えば、後面蓋２１００は、第１板胴体１０００の上部蓋１１００とヒンジ結合されて第１方向Ｄ１に延長され得る。また、下部蓋２２００は、後面蓋２１００から第２方向Ｄ２に突出し得る。また、下部蓋２２００は前面蓋１２００と接触しなく、ネクタイホール２０６０は、下部蓋２２００及び前面蓋１２００によって定義され得る。具体的に、ネクタイホール２０６０は、前面蓋１２００の内面に沿って延長され得る。
【００６７】
第２板胴体２０００は金属を含み得る。例えば、第２板胴体２０００は黄銅を含み得る。
【００６８】
第１及び第２弾性部材３０００、３１００は、後面蓋２１００の内面２０２０に結合され得る。また、第１及び第２弾性部材３０００、３１００は、前面蓋１２００に向かって突出して弾性力を提供することができる。
【００６９】
第１及び第２弾性部材３０００、３１００は、第１及び第２方向Ｄ１、Ｄ２と交差する第３方向に沿って互いに離隔してネクタイ１０と接触し得る。図１２に示したように、第１弾性部材３０００は第３方向Ｄ３と反対方向に弾性力を発生させ、ネクタイ１０を第１係止段４０００に密着させ得る。
【００７０】
また、第２弾性部材３１００は第３方向Ｄ３に弾性力を発生させ、ネクタイ１０を第２係止段４１００に密着させ得る。
【００７１】
第１及び第２弾性部材３０００、３１００は中間部材３０５０によって互いに連結され得る。また、第１及び第２弾性部材３０００、３１００と中間部材３０５０は一体に形成され得る。例えば、第１及び第２弾性部材は一体に形成される板ばねであり得る。
【００７２】
中間部材３０５０は、支持部材２０５０を介して後面蓋２１００に結合され得る。支持部材２０５０の高さを調節し、第１及び第２弾性部材３０００、３１００の位置を調整することができる。
【００７３】
第１及び第２係止段４０００、４１００は、第１方向Ｄ１に沿ってそれぞれ延長され、前面蓋１２００の内面１０２０に結合され得る。第１及び第２係止段４０００、４１００は第３方向Ｄ３に沿って互いに離隔し得る。
【００７４】
第１及び第２係止段４０００、４１００は、第１及び第２弾性部材３０００、３１００が提供する弾性力及び摩擦力によってネクタイ１０と接触し、ネクタイ１０を固定させることができる。
【００７５】
ネクタイ支持バー５０００は、前面蓋１２００の内面１０２０に結合されて第３方向Ｄ３に延長され、ネクタイホール２０６０を通過したネクタイ１０がネクタイ支持バー５０００によって巻かれてネクタイホール２０６０を再び通過し得る。
【００７６】
第１及び第２首紐ホール６１００、６２００は、前面蓋１２００をそれぞれ貫通して第３方向Ｄ３に沿って互いに離隔し、上部蓋１００に隣接して配置され得る。第１及び第２首紐ホール６１００、６２００はそれぞれ第３方向Ｄ３に沿って延長され得る。また、第１及び第２首紐ホール６１００、６２００には後述する首紐６０００が通過し得る。
【００７７】
首紐６０００は、固定部６３００、首掛け部６４００及び長さ調整部６５００を含み得る。固定部６３００は、第１首紐ホール６１００に固定されて内部空間２０４０に配置され得る。例えば、固定部６３００は、結び目形状を有することができ、内部空間２０４０に配置され、首紐６０００を第１首紐ホール６１００に固定させる役割を提供することができる。
【００７８】
首掛け部６４００は、固定部６３００から延長されて第１首紐ホール６１００を通過し、上部蓋１１００上で延長されて第２首紐ホール６２００を通過し得る。首掛け部６４００は、前記ネクタイ着用装置をユーザーの首に掛ける役割を提供することができる。
【００７９】
長さ調整部６５００は、内部空間２０４０を経て下部蓋２２００に備えられた第３首紐ホール２３００を通過し得る。長さ調整部６５００は、後述する首紐調節部６６００によって長さが調節され得る。
【００８０】
首紐調節部６６００は、下部蓋２２００に配置され、長さ調整部６５００の長さを調節することができる。図１４に示したように、首紐調節部６６００は、弾性力によって長さ調整部６５００を固定させる弾性部材６６４０と、弾性部材６６４０に力を加えることによって長さ調整部６５００の固定を解除できるボタン６６２０とを含み得る。
【００８１】
例えば、ボタン６６２０は後面蓋２１００に突出し、下部蓋２２００に沿って延長され、弾性部材６６４０に力を加えることによって長さ調整部６５００の固定を解除することができる。また、弾性部材６６４０は下部蓋２２００に沿って延長され、長さ調整部６５００を後面蓋２１００の方向に押すことによって長さ調整部６５００を第３首紐ホール２３００に固定させることができる。
【００８２】
ネクタイ１０は、ネクタイホール２０６０を通過して第１及び第２弾性部材３０００、３１００と第１及び第２係止段４０００、４１００との間に介在して接触し、ネクタイ支持バー５０００によって巻かれて方向を変えた後、再び第１及び第２弾性部材３０００、３１００と第１及び第２係止段４０００、４１００との間に介在して接触し、ネクタイホール２０６０を再び通過し得る。
【００８３】
本発明の例示的な各実施例に係る前記ネクタイ着用装置によると、ネクタイ支持バー５０００、第１及び第２弾性部材３０００、３１００及び第１及び第２係止段４０００、４１００を用いてネクタイ１０を容易に着用することができる。
【００８４】
特に、ネクタイ１０が第１及び第２弾性部材３０００、３１００と第１及び第２係止段４０００、４１００との間の摩擦力及び弾性力によって固定されるので、ネクタイ１０が前記ネクタイ着用装置に堅固に固定できるという長所がある。
【００８５】
前記ネクタイ着用装置は金属を含み、金属光沢を出すことができる。例えば、前記ネクタイ着用装置の第１及び第２板胴体１０００、２０００は黄銅を含み得る。その結果、前記ネクタイ着用装置は高級な美感を示すことができる。
【００８６】
また、前記ネクタイ着用装置によると、首紐調節部６６００を用いて首紐６０００の長さをボタン一つで容易に調節することができ、便宜性を向上できるという長所がある。
【００８７】
以上の説明は、本発明の技術思想を例示的に説明したものに過ぎなく、本発明の属する技術分野で通常の知識を有する者であれば、本発明の本質的な特性から逸脱しない範囲で多様な修正及び変形が可能であろう。したがって、本発明に開示された各実施例は、本発明の技術思想を限定するためのものではなく、本発明の技術思想を説明するためのものであって、このような実施例によって本発明の技術思想の範囲が限定されることはない。本発明の保護範囲は、下記の特許請求の範囲によって解釈すべきであり、それと同等な範囲内にある全ての技術思想は、本発明の権利範囲に含まれるものと解釈すべきであろう。
【図１】
0003221852.tif 000003
【図２】
0003221852.tif 000004
【図３】
0003221852.tif 000005
【図４】
0003221852.tif 000006
【図５】
0003221852.tif 000007
【図６】
0003221852.tif 000008
【図７】
0003221852.tif 000009
【図８】
0003221852.tif 000010
【図９】
0003221852.tif 000011
【図１０】
0003221852.tif 000012
【図１１】
0003221852.tif 000013
【図１２】
0003221852.tif 000014
【図１３】
0003221852.tif 000015
【図１４】
0003221852.tif 000016